(57)【要約】【課題】貯水トレイの引き出し作業をより行い易くすることのできる空気調和機を提供する。【解決手段】加湿機能を有する空気清浄機１は、筐体１０と、貯水トレイ２０と、除菌ユニット５１とを備えている。貯水トレイ２０は、筐体１０内に配置され、筐体１０から引き出し可能に構成されている。除菌ユニット５１は、電極部を有している。電極部は、貯水トレイ２０内に少なくとも一部が入るように筐体１０から延びている。電極部は、貯水トレイ２０の引き出し時に、貯水トレイ２０の移動を妨げないように動くように構成されている。【選択図】図３
2020016396.tif 000002
【特許請求の範囲】
【請求項１】
筐体と、
前記筐体内に配置され、前記筐体から引き出し可能に構成されている貯水トレイと、
前記貯水トレイ内に少なくとも一部が入るように前記筐体から延びている電極部と
を備え、
前記電極部は、前記貯水トレイの引き出し時に、前記貯水トレイの移動を妨げないように動くように構成されている、空気調和機。
【請求項２】
前記電極部は、前記貯水トレイの移動に連動して動くように構成されている、請求項１に記載の空気調和機。
【請求項３】
前記電極部は、鉛直方向に動く、請求項１または２に記載の空気調和機。
【請求項４】
前記電極部は、回動する、請求項１または２に記載の空気調和機。
【請求項５】
前記電極部は、液体中で放電させることにより有効成分を発生するものである、請求項１から４の何れか１項に記載の空気調和機。
【発明の詳細な説明】
【技術分野】
【０００１】
本発明は、貯水トレイを備えている空気調和機に関する。
【背景技術】
【０００２】
従来、給水タンク内の水を空気中へ付与する加湿機構を備えた加湿機が知られている。また、このような加湿機の中には、給水タンクから貯水トレイに供給される水に、除菌成分、浄化成分などの有効成分を供給し、水中の雑菌や有害物質を除去することにより水質浄化を図るものが存在する。
【０００３】
例えば、特許文献１には、除菌作用を有する次亜塩素酸を発生させることのできる加湿機が開示されている。この加湿機は、加湿フィルター６と、加湿フィルター６の下部に配置され、一定量の水道水が入った水槽７とを備えている。水槽７内の水道水には、加湿フィルター６の周縁の一部が浸漬されている。また、水槽７内の給水タンク側水槽１３には、給水タンク側水槽１３内の水道水に自身の一部が浸漬された電極部１２が備えられている。電極部１２は、その一部が水道水に浸漬された状態で通電されることで、水道水中に含まれる塩素（Ｃｌ２）と水（Ｈ２Ｏ）が反応し、次亜塩素酸（ＨＣｌＯ）を生成させることができる。
【先行技術文献】
【特許文献】
【０００４】
【特許文献１】特開２０１４−１４２１２７号公報
【発明の概要】
【発明が解決しようとする課題】
【０００５】
ところで、加湿機の中には、装置のメンテナンスや清掃などを行う際に加湿フィルタなどの内部部品を本体から取り出すことができるように、水槽（貯水トレイとも呼ばれる）が引き出し可能に構成されているものがある。しかし、次亜塩素酸などの有効成分を発生させるために設けられている電極部は、水槽内の水に浸るような位置に配置されているため、水槽を引き出す際に、電極部が引き出し動作の障害となる。例えば、水槽の引き出し作業を行う作業者は、左右何れか一方の手で電極部を持ち上げた状態で維持しつつ、他方の手で水槽の引き出しを行う必要があり、作業がしにくいという問題がある。
【０００６】
そこで、本発明では、貯水トレイの引き出し作業をより行い易くすることのできる空気調和機を提供することを目的とする。
【課題を解決するための手段】
【０００７】
本発明の一局面にかかる空気調和機は、筐体と、前記筐体内に配置され、前記筐体から引き出し可能に構成されている貯水トレイと、前記貯水トレイ内に少なくとも一部が入るように前記筐体から延びている電極部とを備えている。この空気調和機において、前記電極部は、前記貯水トレイの引き出し時に、前記貯水トレイの移動を妨げないように動くように構成されている。
【０００８】
上記の本発明の一局面にかかる空気調和機において、前記電極部は、前記貯水トレイの移動に連動して動くように構成されていてもよい。
【０００９】
上記の本発明の一局面にかかる空気調和機において、前記電極部は、鉛直方向に動いてもよい。
【００１０】
上記の本発明の一局面にかかる空気調和機において、前記電極部は、回動してもよい。
【００１１】
上記の本発明の一局面にかかる空気調和機において、前記電極部は、液体中で放電させることにより有効成分を発生するものであってもよい。
【発明の効果】
【００１２】
本発明の一局面にかかる空気調和機によれば、貯水トレイの引き出し作業をより容易に行うことができるという効果を奏する。
【図面の簡単な説明】
【００１３】
【図１】本発明の一実施形態にかかる空気清浄機の外観構成を示す斜視図である。
【図２】本発明の一実施形態にかかる空気清浄機の内部構成を示す断面模式図である。
【図３】第１の実施形態にかかる空気清浄機に備えられた貯水トレイ内の構成を示す模式図である。図３では、貯水トレイの引き出し動作時に除菌ユニットが鉛直方向に移動する様子を（ａ）から（ｄ）に順に示す。
【図４】除菌ユニットの位置を変化させるための移動機構の構成を示す斜視図である。
【図５】図４に示す移動機構を構成する水平移動部材を示す斜視図である。
【図６】図４に示す移動機構を構成する水平移動部材を示す斜視図である。
【図７】第２の実施形態にかかる空気清浄機に備えられた貯水トレイ内の構成を示す模式図である。図７では、貯水トレイの引き出し動作時に除菌ユニットが鉛直方向に移動する様子を（ａ）から（ｄ）に順に示す。
【図８】第３の実施形態にかかる空気清浄機に備えられた貯水トレイ内の構成を示す模式図である。図８では、貯水トレイの引き出し動作時に除菌ユニットが回動する様子を（ａ）から（ｄ）に順に示す。
【図９】第３の実施形態にかかる空気清浄機に備えられた貯水トレイ内の構成を示す模式図である。図９では、貯水トレイの取り付け動作時に除菌ユニットが回動する様子を（ａ）から（ｄ）に順に示す。
【図１０】第４の実施形態にかかる空気清浄機の内部構成を示す断面模式図である。
【発明を実施するための形態】
【００１４】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１５】
〔第１の実施形態〕
本実施形態では、本発明の空気調和機の一例である加湿空気清浄機（空気清浄機能を有する加湿機）を例に挙げて説明する。但し、本発明の別の態様では、空気清浄機能を有する加湿機に限定はされず、加湿機能のみを有している装置（すなわち、加湿機）として実現することもできる。また、本発明は、加湿機能を有している空気調和機にも適用可能である。
【００１６】
（空気清浄機の構成）
先ず、本実施の形態にかかる加湿空気清浄機１（以下、単に空気清浄機１と称する）の全体構成について、図１および図２を用いて説明する。図１は、空気清浄機１の斜視図である。図２は、空気清浄機１の内部構成を示す断面図である。
【００１７】
図１に示すように、空気清浄機１の外形は、筐体１０で形成されている。筐体１０は、前面部１０ａ、背面部１０ｂ、上面部１０ｃ、側面部１０ｄ、および底面部１０ｅなどで構成されている。空気清浄機１を通常の使用時の状態に設置したときに、前面部１０ａは前面（正面）側に位置し、背面部１０ｂは背面側に位置し、上面部１０ｃは上方側に位置する。前面部１０ａには、風の吹き出し口（第２吹き出し口３６）が設けられている。また、上面部１０ｃには、風の吹き出し口（第１吹き出し口３３）が設けられているとともに、操作部（図示せず）が配置されている（図２参照）。
【００１８】
筐体１０の内部には、送風機１１、各送風路３１・３２・３４、空気清浄フィルタ（図示せず）、貯水トレイ２０、給水タンク２２、および制御部（図示せず）などが備えられている。
【００１９】
送風機１１は、筐体１０内に形成された送風路３１内に配置されている。送風機１１は、制御部によって、運転の開始／停止、および風量が制御される。送風機１１は、空気清浄機１が設置されている室内の空気を、背面部１０ｂから筐体１０内に取り込み、各吹き出し口３３・３６から送出させるという空気の流れ（風）形成する。図２では、筐体１０内での空気の流れを破線の矢印で示している。
【００２０】
これにより、室内の空気は、空気清浄機１を経由して循環する。筐体１０の内部に取り込まれた空気は、先ず、背面部１０ｂ側に配置された空気清浄フィルタ（図示せず）を通過し、その後、筐体１０の下部に配置されている貯水トレイ２０を通過する。貯水トレイ２０内には、後述する加湿フィルタ（加湿機構）２１が備えられている。これにより、貯水トレイ２０内を通過する空気は、加湿される。加湿された空気は、送風機１１によって、上方に位置する各吹き出し口３３・３６から送出される。
【００２１】
各送風路３１・３２・３４は、筐体１０内に形成されており、送風機１１によって生成される風が通過する。送風路３１は、筐体１０内の下方から中央にかけて形成されている。送風路３１の背面側には、空気清浄フィルタ（図示せず）が配置されている。送風路３１内には、送風機１１が配置されている。
【００２２】
上方送風路３２は、送風路３１の上方に位置する。上方送風路３２の最下流側には、第１吹き出し口３３が設けられている。すなわち、上方送風路３２は、送風機１１で生成される風を、上面部１０ｃに設けられた第１吹き出し口３３へと導く送風路である。
【００２３】
前方送風路３４は、送風路３１の上方前方側に位置する。前方送風路３４の最下流側には、第２吹き出し口３６が設けられている。すなわち、前方送風路３４は、送風機１１で生成される風を、前面部１０ａに設けられた第２吹き出し口３６へと導く送風路である。
【００２４】
第１吹き出し口３３には、風向板１７が回動可能な状態で取り付けられている。また、第２吹き出し口３６には、風向板１８が回動可能な状態で取り付けられている。各風向板１７および１８の開閉は、制御部によって制御される。
【００２５】
空気清浄フィルタは、例えば、筐体１０内の背面側に配置されている。空気清浄フィルタフィルタは、微細な網目状の構造を有しており、空気清浄機１内に取り込まれた空気中に含まれる塵埃、花粉などのアレル物質、空気汚染の原因となる微小粒子状物質などを補足する。また、空気清浄フィルタは、脱臭機能を有する素材で形成されていてもよい。筐体１０の背面部１０ｂから取り込まれた空気は、空気清浄フィルタを通過した後、各送風路３１・２３・３４を通って各吹き出し口３３・３６から吹き出される。これにより、空気清浄機１内に取り込まれた空気を清浄化し、室内へ放出することができる。
【００２６】
貯水トレイ２０は、筐体１０の底面部１０ｅ上に配置されている。貯水トレイ２０には、室内の加湿に使用される水（例えば、水道水）が貯められている。貯水トレイ２０は、筐体１０の側面部１０ｄから引き出されることによって、筐体１０から取り出すことができる。貯水トレイ２０内の水は、給水タンク２２から供給される。給水タンク２２から供給される水の量は、貯水トレイ２０内の水が所定の水位以上となるように、調節されている。
【００２７】
貯水トレイ２０の内部には、主な構成部材として、加湿フィルタ（加湿機構）２１、除菌ユニット（電極部）５１などが備えられている。これらは、空気清浄機１の加湿ユニットを構成している。
【００２８】
給水タンク２２は、貯水トレイ２０の上方に配置されている。給水タンク２２内の水は、例えば、貯水トレイ２０内の水位が所定値以下となった場合など、所定のタイミングで貯水トレイ２０へ供給される。給水タンク２２は、例えば、筐体１０の側面部１０ｄなどから取り外し可能に構成されている。使用者は、給水タンク２２内の水が残りわずかとなった場合などには、給水タンク２２を筐体１０から取り出して、給水タンク２２内に給水を行う。
【００２９】
操作部は、例えば、筐体１０の上面部１０ｃに配置されている。ユーザは、操作部を操作することで空気清浄機１の運転状態を変更することができる。
【００３０】
制御部は、空気清浄機１内の各構成部品と接続され、これらの制御を行う。制御部は、例えば、筐体１０内に配置された電装品ユニット内に配置される。制御部内には、メモリ、およびタイマなどが備えられている。
【００３１】
メモリは、ＲＯＭ（Read Only Memory）及びＲＡＭ（Random Access Memory）を含む。メモリは、空気清浄機１の動作プログラムや設定データを記憶するとともに制御部による演算結果を一時記憶する。タイマは、必要に応じて、制御部内で行われる処理の時間、空気清浄機１内の各構成部材の動作時間などを計測する。
【００３２】
（加湿ユニットの構成）
続いて、空気清浄機１に備えられている加湿ユニットの構成について、図２から図６を参照しながら説明する。
【００３３】
図３は、貯水トレイ２０を筐体１０から引き出す際の除菌ユニット５１の位置の変化を示す模式図である。図３では、移動機構６０を構成する鉛直移動用レール６２などの図示は省略している。図４は、除菌ユニット５１の位置を変化させるための移動機構６０の構成を示す斜視図である。図５および図６には、移動機構６０を構成している第１の水平移動部材６３及び第２の水平移動部材６４を示す。
【００３４】
加湿ユニットは、貯水トレイ２０、加湿フィルタ２１、除菌ユニット５１などで構成されている。上述したように、貯水トレイ２０は、筐体１０の側面部１０ｄから引き出されることによって、筐体１０から取り外し可能に構成されている。例えば、加湿フィルタ２１の清掃または交換などを行う際には、貯水トレイ２０が筐体１０から取り外される。
【００３５】
加湿フィルタ２１は、例えば、略円柱形状を有している。加湿フィルタ２１は、通気性及び吸水性を有する不織布等のフィルタ体を有している。フィルタ体は、略円柱状の加湿フィルタ２１の外周部に設けられている。加湿フィルタ２１は、円柱体の軸方向に回転軸を有している。回転軸は、図示しない駆動モータと接続されており、回転軸を中心として軸方向に回転する。
【００３６】
加湿フィルタ２１の回転によってフィルタ体が貯水トレイ２０内の水に浸漬され、毛細管現象によってフィルタ体の全体に水が浸透する。これにより、貯水トレイ２０内を通過する空気には、加湿フィルタ２１からの水分が供給され、加湿状態となる。
【００３７】
除菌ユニット５１は、例えば、一対の陽極と負極とで構成された電極部を有している。貯水トレイ２０内に貯められた水道水に除菌ユニット５１の少なくとも一部が浸った状態で、除菌ユニット５１を通電させることで、水道水中に含まれる塩素（Ｃｌ２）と水（Ｈ２Ｏ）とが反応して次亜塩素酸（ＨＣｌＯ）を生成する。次亜塩素酸（ＨＣｌＯ）は、微生物の生育を阻害する除菌成分としての機能を有する。
【００３８】
本実施形態では、除菌ユニット５１が、有効成分（除菌成分）である次亜塩素酸（ＨＣｌＯ）を生成することで、貯水トレイ２０に貯められた水中で雑菌の繁殖を抑制することができる。除菌ユニット５１は、貯水トレイ２０の上方に位置する筐体１０側から貯水トレイ２０へと延びており、その少なくとも一部が貯水トレイ２０内に入っている（図２参照）。除菌ユニット５１は、図示しない制御部と接続されている。制御部は、除菌ユニット５１内の電極部への通電の開始および停止を制御する。
【００３９】
また、本実施形態では、除菌ユニット５１は、貯水トレイ２０を筐体１０から取り外す際に、貯水トレイ２０の移動を妨げないように鉛直方向に移動可能に構成されている（図３参照）。すなわち、加湿ユニットには、貯水トレイ２０の移動に連動して除菌ユニット５１を鉛直方向に移動させるための移動機構６０が設けられている。
【００４０】
移動機構６０は、貯水トレイ２０に隣接して配置されている。図３および図４に示すように、移動機構６０は、水平移動用レール６１、鉛直移動用レール６２、第１の水平移動部材６３、第２の水平移動部材６４、鉛直移動部材６５、連結軸６６、および支持部材５２などを有している。
【００４１】
水平移動用レール６１は、貯水トレイ２０の引き出し動作時に貯水トレイ２０の移動方向（すなわち、水平方向）に沿って設けられている。水平移動用レール６１内には、第１の水平移動部材６３および第２の水平移動部材６４が移動可能に配置されている。すなわち、水平移動用レール６１は、第１の水平移動部材６３および第２の水平移動部材６４の水平方向の移動を規制するための部材である。
【００４２】
鉛直移動用レール６２は、水平移動用レール６１の延伸方向に対して垂直な方向に延びる部材である。言い換えると、鉛直移動用レール６２は、空気清浄機１の上下方向に延びるレールを有している。鉛直移動用レール６２内には、鉛直移動部材６５が移動可能に配置されている。すなわち、鉛直移動用レール６２は、鉛直移動部材６５の鉛直方向の移動を規制するための部材である。
【００４３】
第１の水平移動部材６３は、水平移動用レール６１内の形状に沿ってその外形が形成されている。また、第１の水平移動部材６３は、略Ｕ字型の形状を有しており、その内側に第１溝部６３ａおよび第２溝部６３ｂという２段階の溝が形成されている。第１の水平移動部材６３は、水平移動用レール６１内を水平方向（図４中の矢印Ｘの方向）に移動する。
【００４４】
第１溝部６３ａの内径および形状は、第２の水平移動部材６４と合致するように、第２の水平移動部材６４の径および形状に合わせて設計されている。また、第２溝部６３ｂの内径および形状は、第２の水平移動部材６４の径よりも大きく設計されている。これにより、貯水トレイ２０の引き出し時に、第２の水平移動部材６４を第１の水平移動部材６３から引き抜くことが可能となる。また、第１溝部６３ａと第２溝部６３ｂとの境界には、溝部の内径が最も小さくなった幅狭部６３ｃが設けられている。
【００４５】
第２の水平移動部材６４は、棒状の部材である。図５および図６に示すように、第２の水平移動部材６４は、その一方の端部が、第１の水平移動部材６３の溝部（すなわち、第１溝部６３ａまたは第２溝部６３ｂ）に嵌まり込んでいる。また、図示はしていないが、第２の水平移動部材６４の他方の端部は、貯水トレイ２０の側壁と接続されている。言い換えると、第２の水平移動部材６４は、貯水トレイ２０の側壁から突出するように設けられている。これにより、貯水トレイ２０の引き出し時に、第２の水平移動部材６４は、第１の水平移動部材６３とともに水平移動用レール６１内を移動する。
【００４６】
鉛直移動部材６５は、鉛直移動用レール６２内の形状に沿って鉛直方向（図４中の矢印Ｙの方向）に移動する。図４に示すように、鉛直移動部材６５は、連結軸６６によって第１の水平移動部材６３と連結されている。連結軸６６は、剛性を有する棒状の部材である。これにより、第１の水平移動部材６３の移動に連動して鉛直移動部材６５も移動する。
【００４７】
支持部材５２は、除菌ユニット５１と鉛直移動部材６５とを接続している。すなわち、除菌ユニット５１は、支持部材５２を介して移動機構６０に支持されている。これにより、鉛直移動部材６５の鉛直方向（図４中の矢印Ｙの方向）の移動に合わせて、除菌ユニット５１も鉛直方向に位置を変えることができる。
【００４８】
ここで、貯水トレイ２０を筐体１０から引き出すときの移動機構６０の動作について、図３などを参照しながら説明する。貯水トレイ２０の引き出し動作時、貯水トレイ２０の移動に合わせて、第２の水平移動部材６４は水平方向に移動する（図３の（ａ）から（ｃ）参照）。
【００４９】
貯水トレイ２０が筐体１０内の所定の位置に取り付けられている状態（すなわち、図３の（ａ）の状態）では、図５に示すように、第２の水平移動部材６４は、第１の水平移動部材６３の第１溝部６３ａに嵌まりこんでいる。この状態から、貯水トレイ２０が筐体１０の外側へ引き出されると、貯水トレイ２０に接続された第２の水平移動部材６４も貯水トレイ２０とともに水平方向に移動する。
【００５０】
第２の水平移動部材６４は、第１の水平移動部材６３の第１溝部６３ａに嵌まりこんでいるため、第２の水平移動部材６４の移動に連動して、第１の水平移動部材６３は、図４中の矢印Ｘ１方向に移動する。このとき、連結軸６６によって第１の水平移動部材６３と接続された鉛直移動部材６５は、図４中の矢印Ｙ１方向に移動する。これにより、図３の（ａ）および（ｂ）に示すように、除菌ユニット５１は、上方向に移動する。
【００５１】
そして、除菌ユニット５１が上方に位置する状態で、貯水トレイ２０の側壁は、除菌ユニット５１の下方を通過する（図３（ｂ）および（ｃ）参照）。これにより、貯水トレイ２０の引き出し時に、除菌ユニット５１が貯水トレイ２０の移動の障害となることが回避される。
【００５２】
その後、第１の水平移動部材６３の先端が水平移動用レール６１の端部へ到達すると、第２の水平移動部材６４は、第１の水平移動部材６３の第１溝部６３ａ側から第２溝部６３ｂ側へ移動する。そして、第２の水平移動部材６４は、第２溝部６３ｂから引き抜かれる。これにより、図３の（ｃ）から（ｄ）に示すように、貯水トレイ２０は筐体１０の外側へ引き出される。
【００５３】
なお、第２の水平移動部材６４を、第１溝部６３ａから第２溝部６３ｂへと移動させるときには、貯水トレイ２０の引き出し操作を行う作業者は、より大きな力で貯水トレイ２０を引く必要がある。すなわち、第２の水平移動部材６４が第１溝部６３ａから第２溝部６３ｂへ移行する際には、作業者には、貯水トレイ２０の引き出し動作により大きな負荷をかけることが求められる。そのため、作業者が貯水トレイ２０を勢いよく引き出そうとしても、第１溝部６３ａと第２溝部６３ｂとの間の幅狭部６３ｃが障壁となり、引き出し速度が一旦低下する。
【００５４】
このように、第１の水平移動部材６３の第１溝部６３ａ、第２溝部６３ｂ、および幅狭部６３ｃの形状は、貯水トレイ２０の引き出し動作時の衝撃を緩衝させるための役割も果たす。これにより、例えば、貯水トレイ２０を勢いよく引き出した場合などに、除菌ユニット５１の追従移動が遅れ、貯水トレイ２０の側壁が除菌ユニット５１に衝突することを避けることができる。
【００５５】
なお、貯水トレイ２０の引き出し動作時の衝撃を緩衝させるための部材として、第１の水平移動部材６３の代わりに、バネを用いることもできる。この場合、第２の水平移動部材６４が、水平移動用レール６１内を移動する。そして、第２の水平移動部材６４と水平移動用レール６１との間にバネが取り付けられる。
【００５６】
また、本発明の別の態様では、除菌ユニットは、除菌成分として金属イオンを供給する電極ユニット（電極部）で構成されていてもよい。この電極ユニットは、例えば、互いに間隔をあけて設置された酸化還元電位の異なる第１の電極および第２の電極と、この電極を短絡させる短絡部とで構成されている。この電極ユニットでは、第１の電極の酸化還元電位は第２の電極の酸化還元電位より高くなっており、第１の電極および第２の電極が水に接する位置に配置されている。このような構成により、第２の電極の表面から金属イオンを溶出させることができる。貯水トレイ２０内の水中に金属イオンが溶出されることで、雑菌の繁殖を抑制することができる。このような電極ユニットも、本実施形態の移動機構６０と同様の構成を用いて、貯水トレイ２０の引き出し動作を妨げないように鉛直方向に移動可能に構成することができる。
【００５７】
（第１の実施形態のまとめ）
以上のように、本実施形態にかかる空気清浄機１は、筐体１０内の下方に配置されている貯水トレイ２０を備えている。貯水トレイ２０の内部には、加湿フィルタ２１、および除菌ユニット５１などが設けられている。貯水トレイ２０には、貯水トレイ２０の移動に連動して除菌ユニット５１を鉛直方向に移動させるための移動機構６０が設けられている。
【００５８】
上記の構成によれば、貯水トレイ２０を引き出す際に、移動機構６０によって除菌ユニット５１が上方向へ持ち上げられる。この状態で、貯水トレイ２０の側壁は、除菌ユニット５１の下方を通過する。これにより、貯水トレイ２０の引き出し時に、除菌ユニット５１が貯水トレイ２０の移動の障害となることが回避される。
【００５９】
本実施形態にかかる空気清浄機１によれば、貯水トレイ２０の引き出し作業がより行い易くなる。したがって、加湿フィルタ２１の清掃または交換などを行う際の作業性が向上し、空気清浄機１の利便性を向上させることができる。
【００６０】
〔第２の実施形態〕
続いて、本発明の第２の実施形態について説明する。第２の実施形態にかかる空気清浄機１は、除菌ユニット５１の位置を変化させるための移動機構１６０の構成が、第１の実施形態とは異なっている。それ以外の構成については、第１の実施形態と同様の構成を適用することができる。そこで、以下では、第１の実施形態とは異なる構成を中心に説明する。
【００６１】
図７には、第２の実施形態にかかる空気清浄機１に備えられている貯水トレイ２０内の構成を模式的に示す。貯水トレイ２０には、除菌ユニット５１の位置を鉛直方向に変化させるための移動機構１６０が備えられている。
【００６２】
移動機構１６０は、水平移動用レール１６１、鉛直移動用レール６２、第１の水平移動部材６３、第２の水平移動部材６４、鉛直移動部材６５、連結軸６６、および支持部材５２などを有している。図７では、第１の水平移動部材６３などの図示は省略している。水平移動用レール１６１以外の構成については、第１の実施形態と同様の構成が適用できる。
【００６３】
上述の第１の実施形態では、水平移動用レール６１と鉛直移動用レール６２とは、Ｌ字形状となるように配置されている。これに対して、本実施形態では、水平移動用レール１６１と鉛直移動用レール６２とは、Ｔ字形状となるように配置されている。
【００６４】
そして、貯水トレイ２０の引き出し時には、第１の水平移動部材６３および第２の水平移動部材６４は、図７の（ａ）から（ｃ）に示すように、水平移動用レール１６１内を水平方向に移動する。そして、図７の（ｄ）に示すように、貯水トレイ２０の大部分が筐体１０の外側に出た状態のときに、第２の水平移動部材６４は、第１の水平移動部材６３の第２溝部６３ｂから引き抜かれる。
【００６５】
〔第３の実施形態〕
続いて、本発明の第３の実施形態について説明する。第３の実施形態にかかる空気清浄機１は、除菌ユニット２５１の位置を変化させるための構成が、第１の実施形態とは異なっている。それ以外の構成については、第１の実施形態と同様の構成を適用することができる。そこで、以下では、第１の実施形態とは異なる構成を中心に説明する。
【００６６】
図８および図９には、本実施形態にかかる空気清浄機１に備えられた貯水トレイ２０内の構成を模式的に示す。貯水トレイ２０内には、主な構成部材として、加湿フィルタ（加湿機構）２１、除菌ユニット（電極部）２５１などが備えられている。これらは、空気清浄機１の加湿ユニットを構成している。図８および図９では、加湿フィルタ２１の図示は省略している。
【００６７】
図８では、貯水トレイ２０が筐体１０から引き出される時の除菌ユニット２５１の動きを、（ａ）から（ｄ）に順に示す。なお、除菌ユニット２５１の内部の構成については、第１の実施形態の除菌ユニット５１と同様の構成が適用できる。
【００６８】
本実施形態では、除菌ユニット２５１は、貯水トレイ２０を筐体１０から取り外す際に、貯水トレイ２０の移動を妨げないように回動可能に構成されている。すなわち、図８に示すように、除菌ユニット２５１は、回動軸２６１に対して回動可能に構成されている。
【００６９】
本実施形態にかかる空気清浄機１において、貯水トレイ２０を筐体１０から引き出す時の除菌ユニット２５１の動きを、図８を参照しながら説明する。図８の（ａ）から（ｄ）では、貯水トレイ２０が図中左側へ水平移動して引き出される様子を示している。
【００７０】
図８の（ａ）から（ｂ）に示すように、貯水トレイ２０が水平方向に移動すると、貯水トレイ２０の側壁が除菌ユニット２５１の側面に当たる。除菌ユニット２５１は、回動軸２６１を基点として、貯水トレイ２０の移動方向と同じ向きに回動可能に構成されている。そのため、貯水トレイ２０の側壁に押されて、除菌ユニット２５１は、図中時計回りに回動する（図８の（ｂ）参照）。
【００７１】
貯水トレイ２０がさらに引き出されると、図８の（ｃ）から（ｄ）に示すように、貯水トレイ２０の側壁は、除菌ユニット２５１の配置位置を通過する。すると、側壁によって上方に持ち上げられていた除菌ユニット２５１は、側壁による支持を失って自重によって下方に移動する。すなわち、図８の（ｃ）に示すように、反時計回りに回動し、定常位置に戻る。
【００７２】
続いて、貯水トレイ２０を筐体１０内に戻し入れる時の除菌ユニット２５１の動きを、図９を参照しながら説明する。図９の（ａ）から（ｄ）では、貯水トレイ２０が図中右側へ水平移動して元の位置に戻される様子を示している。
【００７３】
図９の（ａ）から（ｂ）に示すように、貯水トレイ２０が水平方向に移動すると、貯水トレイ２０の側壁が除菌ユニット２５１の側面に当たる。除菌ユニット２５１は、回動軸２６１を基点として、貯水トレイ２０の移動方向と同じ向きに回動可能に構成されている。そのため、貯水トレイ２０の側壁に押されて、除菌ユニット２５１は、図中反時計回りに回動する（図９の（ｂ）参照）。
【００７４】
貯水トレイ２０が筐体１０内のさらに奥へ押されると、図９の（ｃ）から（ｄ）に示すように、貯水トレイ２０の側壁は、除菌ユニット２５１の配置位置を通過する。すると、側壁によって上方に持ち上げられていた除菌ユニット２５１は、側壁による支持を失って自重によって下方に移動する。すなわち、図９の（ｃ）に示すように、時計回りに回動し、定常位置に戻る。
【００７５】
以上のように、本実施形態にかかる空気清浄機１では、除菌ユニット２５１が、貯水トレイ２０の移動方向と同じ方向に回動するように構成されている。これにより、貯水トレイ２０を筐体１０から取り外す際に、除菌ユニット２５１によって貯水トレイ２０の移動が妨げられることを回避することができる。また、貯水トレイ２０を筐体１０内に戻す際にも、除菌ユニット２５１によって貯水トレイ２０の移動が妨げられることを回避することができる。
【００７６】
〔第４の実施形態〕
続いて、本発明の第４の実施形態について説明する。第４の実施形態にかかる空気清浄機１は、除菌ユニット３５１の位置を変化させるための構成が、第３の実施形態とは異なっている。
【００７７】
図１０には、第４の実施形態にかかる空気清浄機３０１の内部構成を示す。空気清浄機３０１において、貯水トレイ２０内に設けられた加湿ユニット以外の構成は、第１の実施形態にかかる空気清浄機１と同様の構成が適用できる。
【００７８】
貯水トレイ２０内には、主な構成部材として、加湿フィルタ（加湿機構）２１、除菌ユニット（電極部）３５１、センサ３４３、制御部３４１などが備えられている。加湿フィルタ２１は、第１の実施形態と同様の構成が適用できる。
【００７９】
第３の実施形態にかかる除菌ユニット２５１と同様に、除菌ユニット３５１は、貯水トレイ２０を筐体１０から取り外す際に、貯水トレイ２０の移動を妨げないように回動可能に構成されている。すなわち、除菌ユニット３５１には、回動軸３６２が設けられている。また、本実施形態では、回動軸３６２は、駆動モータ３６１と接続されている。
【００８０】
センサ３４３は、例えば、貯水トレイ２０の上方に配置されており、貯水トレイ２０の動きを検知する。センサ３４３によって検知された貯水トレイ２０の動きに関する情報は、制御部３４１へ送信される。
【００８１】
制御部３４１は、駆動モータ３６１の運転の開始および停止などの制御を行う。本実施形態では、制御部３４１は、センサ３４３から送信された貯水トレイ２０の動きに関する情報に基づいて、駆動モータ３６１の運転の開始および停止を制御する。制御部３４１は、空気清浄機３０１内の全体の制御を行う制御部内に集約されていてもよい。
【００８２】
上記の構成を有する空気清浄機３０１では、貯水トレイ２０が引き出されると、センサ３４３がそれを検知し、制御部３４１へ検知情報が送信される。制御部３４１では、この検知情報を受けて、駆動モータ３６１の運転を開始させる。駆動モータ３６１が所定の時間だけ運転を行うことで、回動軸３６２が回動し、除菌ユニット３５１は上方へ持ち上がる。この状態で、駆動モータ３６１が運転を停止することで、除菌ユニット３５１が上方へ持ち上げられた状態で維持される。これにより、貯水トレイ２０の引き出し時に、貯水トレイ２０の側壁が除菌ユニット３５１に当たることを回避することができる。
【００８３】
除菌ユニット３５１の位置は、貯水トレイ２０が再度筐体１０内に戻されるまで、持ち上げられた状態で維持されてもよいし、一旦定常位置に戻されてもよい。除菌ユニット３５１が一旦定常位置に戻される場合には、貯水トレイ２０を筐体１０内に戻す際に、センサ３４３が貯水トレイ２０を検知したタイミングで、制御部３４１は、駆動モータ３６１を稼働させ、除菌ユニット３５１を回動させる。これにより、除菌ユニット３５１は、上方へ持ち上げられた状態で維持される。
【００８４】
その後、貯水トレイ２０が所定の位置に設置されたことをセンサ３４３が検知すると、駆動モータ３６１が運転を開始する。これにより、除菌ユニット３５１は回動して定常位置に戻る。
【００８５】
なお、本実施形態では、除菌ユニット３５１の回動方向は、貯水トレイ２０の移動方向と同じ方向であってもよいし、貯水トレイ２０の移動方向と直交する方向であってもよい。
【００８６】
（まとめ）
本発明の一実施態様は、空気清浄機（例えば、加湿空気清浄機１）に関する。この空気清浄機は、筐体（例えば、筐体１０）と、筐体に対して引き出し可能に配置されている貯水トレイ（例えば、貯水トレイ２０）と、貯水トレイ内に少なくとも一部が入るように筐体から延びている電極部（例えば、除菌ユニット５１内の電極部）とを備えている。この空気調和機において、電極部は、そして、電極部は、貯水トレイを引き出すときに、貯水トレイの移動を妨げないように動くように構成されている。
【００８７】
ここで、貯水トレイの移動を妨げないように電極部が動く構成には、例えば、第３の実施形態のように、貯水トレイ２０の側壁に接触してから除菌ユニット２５１が動くような構成も含まれる。
【００８８】
また、貯水トレイ内に少なくとも一部が入るように筐体から延びている電極部は、例えば、貯水トレイ内に水などの液体を入れた場合に、貯水トレイ内に貯められた液体にその少なくとも一部が浸る位置に配置されている電極部と言い換えることもできる。
【００８９】
上記の本発明の一実施態様にかかる空気清浄機において、前記電極部は、前記貯水トレイの移動に連動して動くように構成されていてもよい。
【００９０】
上記の本発明の一実施態様にかかる空気清浄機において、前記電極部は、鉛直方向に動いてもよい。例えば、第１の実施形態のように、移動機構６０を用いて、貯水トレイ２０の水平移動に合わせて、除菌ユニット５１を鉛直方向に移動させてもよい。
【００９１】
上記の本発明の一実施態様にかかる空気清浄機において、前記電極部は、回動してもよい。具体的には、第３の実施形態のように、貯水トレイの一部（例えば、側壁）が電極部に当たることによって電極部が回動するような構成としてもよい。またあるいは、貯水トレイの一部が電極部と接続された別の部材に当たることによって、電極部が回動するような構成であってもよい。さらに、第４の実施形態のように、貯水トレイ２０が引き出されたことをセンサ３４３が検知したときに、電極部が回動するような構成であってもよい。
【００９２】
上記の本発明の一実施態様にかかる空気清浄機において、前記電極部は、液体中で放電させることにより有効成分を発生するものであってもよい。例えば、電極部は、除菌成分である次亜塩素酸（ＨＣｌＯ）を生成する除菌ユニット５１などとして機能させることができる。
【００９３】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。また、本明細書で説明した異なる実施形態の構成を互いに組み合わせて得られる構成についても、本発明の範疇に含まれる。
【符号の説明】
【００９４】
１      ：加湿空気清浄機（空気調和機）
１０    ：筐体
１１    ：送風機
２０    ：貯水トレイ
２１    ：加湿フィルタ（加湿機構）
２２    ：給水タンク
５１    ：除菌ユニット（電極部）
６０    ：移動機構
１６０  ：移動機構
２５１  ：除菌ユニット（電極部）
２６１  ：回動軸
３０１  ：加湿空気清浄機（空気調和機）
３４３  ：センサ
３４１  ：制御部
３５１  ：除菌ユニット（電極部）
３６１  ：駆動モータ
３６２  ：回動軸
【図１】
2020016396.tif 000003
【図２】
2020016396.tif 000004
【図３】
2020016396.tif 000005
【図４】
2020016396.tif 000006
【図５】
2020016396.tif 000007
【図６】
2020016396.tif 000008
【図７】
2020016396.tif 000009
【図８】
2020016396.tif 000010
【図９】
2020016396.tif 000011
【図１０】
2020016396.tif 000012